(57)【要約】【課題】従来から、目的地までの経路案内情報などをダウンロードし活用できる携帯電話等の装置はあるが、これらの情報は一定方向にのみ授受が行われるものであり、利用者の意見等は反映されにくいという問題がある。【解決手段】本発明では、この課題を解決するために、携帯端末装置を介して利用者からの情報を取得し、取得した情報と保持されている情報とを合成し、他の利用者にも流布することができる情報流布装置を提案する。これにより、利用者の有する有益な情報を利用者間で共有することができる。また、利用者の携帯端末装置においては、情報流布装置からの情報に所感等を加えて加工し、その加工済みの情報を情報流布装置に返すこともできる。利用者により加工された情報は、さらに有益性が高まっていることが想定される。【選択図】            図２
2004199436.tif 000002
【特許請求の範囲】
【請求項１】
情報を保持する情報保持部と、
携帯端末装置から情報を取得する情報取得部と、
情報取得部で取得した情報と、すでに情報保持部に保持されている情報と、を含む情報である合成情報を生成する合成情報生成部と、
携帯端末装置に対して、前記情報保持部に保持された情報を送信する情報送信部と、
を有する情報流布装置。
【請求項２】
合成情報生成部で生成される情報が過去に他の情報と合成された回数である合成回数を含む合成情報履歴情報を取得する合成情報履歴情報取得部と、
前記合成情報履歴情報取得部で取得した合成情報履歴情報に基づいて前記情報保持部に保持された情報を削除する情報削除部と、
をさらに有する請求項１に記載の情報流布装置。
【請求項３】
前記情報取得部は、前記情報送信部による情報の送信が行われた場合に、その情報の送信を行った携帯端末装置から情報の取得をする請求項１又は、２に記載の情報流布装置。
【請求項４】
前記情報送信部は、前記情報取得部による情報の取得が行われた場合に、その情報の取得を行った携帯端末装置に対して情報の送信をする請求項１から３のいずれか一に記載の情報流布装置。
【請求項５】
前記情報送信部は、携帯端末装置からの要求に応じて情報保持部に保持されている情報を選択して送信する送信情報選択手段を有する請求項１から４のいずれか一に記載の情報流布装置。
【請求項６】
前記情報送信部は、携帯端末装置から取得した携帯端末装置の利用者に関する情報である利用者情報に基づいて情報保持部に保持されている情報を抽出して送信する最適情報抽出手段を有する請求項１から５のいずれか一に記載の情報流布装置。
【請求項７】
前記利用者情報は、携帯端末装置に含まれている利用者のスケジュール情報であり、前記最適情報抽出手段は、前記スケジュール情報に基づいて、利用者の立ち回り先の地理的情報を抽出する請求項６に記載の情報流布装置。
【請求項８】
前記情報は、商品の広告情報を含み、前記合成情報履歴情報取得部で取得した合成情報履歴情報に基づいて、その広告情報を出力する広告情報出力部をさらに有する請求項２に記載の情報流布装置。
【請求項９】
前記広告情報出力部は、街頭ディスプレイである請求項８に記載の情報流布装置。
【請求項１０】
前記情報は、商品の広告情報を含み、前記合成情報履歴情報取得部で取得した合成情報履歴情報に基づいて、その広告主に対する広告対価を計算する対価計算部をさらに有する請求項８に記載の情報流布装置。
【請求項１１】
前記携帯端末装置から得られる情報は、情報流布装置から得た情報を加工した加工済情報である請求項１から１０のいずれか一に記載の情報流布装置。
【請求項１２】
情報流布装置から情報を取得する情報取得部と、
前記情報取得部で取得した情報を保持する情報保持部と、
情報流布装置に対して、前記情報保持部に保持された情報を送信する情報送信部と、
を有する携帯端末装置。
【請求項１３】
情報流布装置に対して情報の送信を要求する情報要求部をさらに有し、
前記情報取得部は、前記要求に基づいて、情報流布装置から情報を取得する請求項１２に記載の携帯端末装置。
【請求項１４】
利用者に関する情報である利用者情報を保持する利用者情報保持部と、
前記利用者情報保持部に保持されている利用者情報を出力する利用者情報出力部と、をさらに有する請求項１２又は１３のいずれか一に記載の携帯端末装置。
【請求項１５】
前記情報取得部で取得した情報を加工して加工済情報とする情報加工部をさらに有し、
前記情報送信部は、前記情報加工部で加工した加工済情報を情報流布装置に対して送信する請求項１２から１４いずれか一に記載の携帯端末装置。
【請求項１６】
請求項１に記載の情報流布装置と、請求項１２に記載の携帯端末装置とからなる情報流布システム。
【請求項１７】
請求項５に記載の情報流布装置と、請求項１３に記載の携帯端末装置とからなる情報流布システム。
【請求項１８】
請求項６に記載の情報流布装置と、請求項１４に記載の携帯端末装置とからなる情報流布システム。
【請求項１９】
請求項１１に記載の情報流布装置と、請求項１５に記載の携帯端末装置とからなる情報流布システム。
【請求項２０】
携帯端末装置から情報を取得する情報取得ステップと、
情報取得ステップにて取得した情報と、すでに保持されている情報と、を含む情報である合成情報を生成する合成情報生成ステップと、
携帯端末装置に対して、保持された情報を送信する情報送信ステップと、
を計算機に実行させる情報流布プログラム。
【請求項２１】
携帯端末装置から情報を取得する情報取得ステップと、
情報取得ステップにて取得した情報と、すでに保持されている情報と、を含む情報である合成情報を生成する合成情報生成ステップと、
合成情報生成ステップにて生成される情報が過去に他の情報と合成された回数である合成回数を含む合成情報履歴情報を取得する合成情報履歴情報取得ステップと、
前記合成情報履歴情報取得ステップにて取得した合成情報履歴情報に基づいて保持された情報を削除する情報削除ステップと、
を計算機に実行させる情報流布プログラム。
【請求項２２】
携帯端末装置に対して、保持された情報を送信する情報送信ステップと、
前記情報送信ステップによる情報の送信が行われた場合に、その情報の送信を行った携帯端末装置から情報の取得をする情報取得ステップと、
情報取得ステップにて取得した情報と、すでに保持されている情報と、を含む情報である合成情報を生成する合成情報生成ステップと、
を計算機に実行させる情報流布プログラム。
【請求項２３】
携帯端末装置から情報を取得する情報取得ステップと、
情報取得ステップにて取得した情報と、すでに保持されている情報と、を含む情報である合成情報を生成する合成情報生成ステップと、
前記情報取得ステップによる情報の取得が行われた場合に、その情報の取得を行った携帯端末装置に対して情報の送信をする情報送信ステップと、
を計算機に実行させる情報流布プログラム。
【発明の詳細な説明】
【０００１】
【発明の属する技術分野】
本発明は情報流布装置に関するものである。
【０００２】
【従来の技術】
従来から、目的地までの経路案内情報などをダウンロードし活用できる携帯電話等の装置はある。（特許文献１参照。）。
【０００３】
【特許文献１】
特開２００２−３１０７２０号公報
【０００４】
【発明が解決しようとする課題】
しかし、これらの情報は一定方向にのみ授受が行われるものであり、利用者の意見等は反映されにくいという問題がある。
【０００５】
【課題を解決するための手段】
本発明では、この課題を解決するために、携帯端末装置を介して利用者からの情報を取得し、取得した情報と保持されている情報とを合成し、他の利用者にも流布することができる情報流布装置を提案する。これにより、利用者の有する有益な情報を利用者間で共有することができる。また、利用者の携帯端末装置においては、情報流布装置からの情報に所感等を加えて加工し、その加工済みの情報を情報流布装置に返すこともできる。利用者により加工された情報は、さらに有益性が高まっていることが想定される。
【０００６】
さらに、これらの情報に広告に関する情報が含まれている場合には、利用者による利用が所定の回数以上に達することで、街頭ディスプレイにその広告情報が出力されるとの設定をすることも可能である。これにより、多くの利用者に支持されている広告であることが視聴者に分かるため、広告の供給者にとってはさらなる広告宣伝活動となる。
【０００７】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００８】
実施形態１は、主に請求項１、２０などについて説明する。
【０００９】
実施形態２は、主に請求項２、２１などについて説明する。
【００１０】
実施形態３は、主に請求項３、２２などについて説明する。
【００１１】
実施形態４は、主に請求項４、２３などについて説明する。
【００１２】
実施形態５は、主に請求項５などについて説明する。
【００１３】
実施形態６は、主に請求項６などについて説明する。
【００１４】
実施形態７は、主に請求項７などについて説明する。
【００１５】
実施形態８は、主に請求項８などについて説明する。
【００１６】
実施形態９は、主に請求項９などについて説明する。
【００１７】
実施形態１０は、主に請求項１０などについて説明する。
【００１８】
実施形態１１は、主に請求項１１などについて説明する。
【００１９】
実施形態１２は、主に請求項１２、１６などについて説明する。
【００２０】
実施形態１３は、主に請求項１３、１７などについて説明する。
【００２１】
実施形態１４は、主に請求項１４、１８などについて説明する。
【００２２】
実施形態１５は、主に請求項１５、１９などについて説明する。
＜＜実施形態１＞＞
【００２３】
＜実施形態１：概要＞
【００２４】
実施形態１について説明する。本実施形態は、取得した情報と保持している情報とを合成して携帯端末装置に送信する情報流布装置である。
【００２５】
図１は、本実施形態の概念の一例を示すものである。図に本発明の情報流布装置Ａ、Ｂ、Ｃと、携帯端末装置を示した。情報流布装置は、ディスプレイを有する装置であり、そのディスプレイには情報流布装置が保持する情報を表示する。
表示される情報は、例えば、情報流布装置の設置場所周辺の地図情報、観光情報、周辺商店等の広告情報、天気情報、交通情報などがある。
【００２６】
最初の段階（▲１▼）としては、利用者は携帯端末装置を用いて、情報流布装置Ａの保持する情報Ａを取得する。携帯端末装置が情報Ａを取得することによっては、情報流布装置Ａから情報Ａは失われず、情報Ａを表示しつづけることができる。例えば、情報Ａは周辺地図に関する情報であれば、利用者はこの情報Ａを取得したことにより、目的地を決定する契機とできる。
【００２７】
次の段階（▲２▼）としては、情報Ａである地図にしたがって到着した店舗にて、そこに設置された情報流布装置Ｂから情報Ｂを取得する。このとき、利用者は携帯端末装置に保持している先に取得した情報Ａを情報流布装置Ｂに送信する。情報流布装置Ｂは、情報Ｂの他に、地図情報である情報Ａを保持し、必要に応じて、地図を情報流布装置Ｂで表示させることも可能となる。また、例えば、情報Ｂが商品に関する情報である場合、利用者はこの情報Ｂを取得することで、商品購入の際に活用することができる。
【００２８】
さらに、次の段階（▲３▼）として携帯端末装置が情報流布装置Ｃから情報Ｃを取得する場合には、代わりに携帯端末装置が保持している情報Ａ、Ｂを送信して、情報流布装置Ｃに保持させる。このように、情報は増殖しながら転々流通する。
【００２９】
＜実施形態１：構成＞
【００３０】
本実施形態での機能ブロックの一例を図２に示した。
【００３１】
図２に示す本実施形態の「情報流布装置」（０２００）は、「情報保持部」（０２０１）と、「情報取得部」（０２０２）と、「合成情報生成部」（０２０３）と、「情報送信部」（０２０４）とからなる。
【００３２】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００３３】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００３４】
「情報保持部」（０２０１）は、情報を保持する。「情報」の形態は、文字、映像、音声などであり、内容は地図、広告などを広く含む。
【００３５】
「情報取得部」（０２０２）は、携帯端末装置から情報を取得する。「携帯端末装置」は、携帯電話、ＰＨＳ、ＰＤＡ、ノート型パソコン等を広く含む。取得する情報は、利用者の有する携帯端末装置に保持されている情報であり、例えば、利用者が別の情報流布装置から取得した情報などが該当する。すでに観光情報を他の情報流布装置から取得し保持する携帯端末装置からは、情報流布装置はその観光情報を取得することができる。
【００３６】
「合成情報生成部」（０２０３）は、合成情報を生成する。「合成情報」とは、情報取得部（０２０２）で取得した情報と、すでに情報保持部（０２０１）に保持されている情報と、を含む情報である。例えば、情報流布装置が、地図情報を保持しており、さらに、観光情報を取得した場合には、合成情報は地図情報と観光情報とを含む情報が合成情報となる。また、合成情報生成部での合成処理は、合成する情報の属性や、送信先の携帯端末装置の状況など、種々の要素に基づいて決定される。生成した合成情報は、情報保持部（０２０１）に渡され、保持される。
【００３７】
「情報送信部」（０２０４）は、携帯端末装置に対して、前記情報保持部（０２０１）に保持された情報を送信する。
【００３８】
＜実施形態１：具体例＞
【００３９】
図２で本実施形態の情報流布装置による具体的な処理を説明する。
【００４０】
最初、情報保持部（０２０１）には、情報Ａのみが保持されている。ここで、情報取得部（０２０２）が情報Ｂを取得した。合成情報生成部（０２０３）では、これらの情報Ａ、Ｂを合成して、合成情報を生成する。生成した合成情報は、一旦、情報保持部で保持される。その後、情報送信部（０２０４）から、携帯端末装置等へ送信される。
【００４１】
新たに取得した情報を、保持・蓄積する一方で、利用者に対して携帯端末装置を介して、取得させることで、情報が転々流通することとなり、情報の流布という目的を果たす。
【００４２】
また、このとき送信される情報の態様を、図３に示す。図３（１）は、情報Ａ、Ｂ、Ｃを保持している情報流布装置から携帯端末装置へ情報が送信される場面を示したものである。情報流布装置からの送信の態様としては、単独の情報を送信する場合（Ａのみ、Ｂのみ、Ｃのみ）と、一部の情報を合成して送信する場合（ＡＢ、ＢＣ、ＡＣ）と、全部を合成して送信する場合（ＡＢＣ）と、がある。
【００４３】
図３（２）は、携帯端末装置から情報Ｄを取得した情報流布装置が、さらに携帯端末装置へ情報を返す場面を示したものである。取得した情報Ｄを送信する情報に含めない場合は、（１）と同様の送信の態様が想定される。取得した情報Ｄを送信する情報に含める場合は、全部を合成したＡＢＣＤ、一部の情報を合成したＡＤ、ＢＤ、ＣＤ、ＡＢＤ、ＢＣＤ、ＡＣＤ、そのままＤのみを送信する態様が想定される。
【００４４】
＜実施形態１：処理の流れ＞
【００４５】
図４は、実施形態１での処理の流れの一例を示したものである。本実施形態における情報流布方法は、以下に示すステップよりなる。
【００４６】
最初に、携帯端末装置から情報を取得する（情報取得ステップ  Ｓ０４０１）。
【００４７】
情報取得ステップにて取得した情報と、すでに保持されている情報と、を含む情報である合成情報を生成する（合成情報生成ステップ  Ｓ０４０２）。
【００４８】
最後に、携帯端末装置に対して、保持された情報を送信する（情報送信ステップ  Ｓ０４０３）。
【００４９】
以上の処理は、計算機に実行させるためのプログラムで実行することができ、また、このプログラムを計算機によって読み取り可能な記録媒体に記録することができる。（本明細書の全体を通して同様である。）
【００５０】
＜実施形態１：効果＞
【００５１】
本件の情報流布装置により、利用者は必要とする情報を自己の携帯端末等に取得し、活用することができる。さらに、逆に情報流布装置へ自己の有する情報も送信することができ、情報を多数の利用者で共有することができる。
＜＜実施形態２＞＞
【００５２】
＜実施形態２：概要＞
【００５３】
実施形態２について説明する。本実施形態は、合成された回数に応じて、保持している情報を削除することを特徴とする情報流布装置である。
【００５４】
＜実施形態２：構成＞
【００５５】
本実施形態での機能ブロックの一例を図５に示した。
【００５６】
図５に示す本実施形態の「情報流布装置」（０５００）は、「情報保持部」（０５０１）と、「情報取得部」（０５０２）と、「合成情報生成部」（０５０３）と、「情報送信部」（０５０４）と、さらに、「合成情報履歴情報取得部」（０５０５）と、「情報削除部」（０５０６）とからなる。
【００５７】
「合成情報履歴情報取得部」（０５０５）は、合成情報履歴情報を取得する。
「合成情報履歴情報」は、合成情報生成部（０５０３）で生成される情報が過去に他の情報と合成された回数である合成回数を含む情報である。その他、合成された各々の情報の内容や、その日時等の情報を含む場合もある。
【００５８】
「情報削除部」（０５０６）は、前記合成情報履歴情報取得部（０５０５）で取得した合成情報履歴情報に基づいて前記情報保持部（０５０１）に保持された情報を削除する。合成回数が多いほど、有益な情報であることが想定されるため、所定の期間内に一定の合成回数に満たない情報を削除するとよい。また、所定の期間内に合成が行われない場合に、その情報を削除する場合もある。さらに、携帯端末装置に送信する際に送信する情報を削除し、あたかも有体物の授受のように、渡すとなくなる態様としてもよい。
【００５９】
その他各部の処理については、実施形態１と同様である。
【００６０】
＜実施形態２：具体例＞
【００６１】
図６で本実施形態の情報流布装置による具体的な処理を説明する。
【００６２】
合成情報を生成し、送信する処理は、実施形態１と同様である。本実施形態は、合成情報履歴情報に基づいて、情報保持部に保持された情報を削除することに特徴を有する。
【００６３】
まず、合成情報を生成する際に、その元となった情報についての合成情報履歴情報の合成回数を１インクリメントする。例えば、取得した情報と、情報Ａとを合成情報とする場合には、情報Ａの合成回数を１増加させ２０回とする。
【００６４】
ここで合成回数が少ない情報は活用されていない情報なので、削除することとする場合には、情報Ｂを選択し削除する。削除する情報は、合成回数が少ないものに限られるわけではなく、合成回数が所定の回数を超える情報は使い古された情報であると判断できる状況の場合には、その情報を削除するとしてもよい。また、合成回数のほかに、合成された日時をも基準とし、一定期間合成されない場合には削除するとしてもよい。
【００６５】
さらに、図７に示したように、情報Ａ、Ｂ、Ｃを保持する情報流布装置が携帯端末装置に情報Ｃを送信することで、送信する情報を削除するとしてもよい。
【００６６】
新たに取得した情報を、保持・蓄積する一方で、不用な情報を削除することで情報流布装置に保持する情報の容量を減らし、負荷の軽減を図ることができる。
これにより、より有益な情報のみが転々流通することとなり、情報の流布という目的を果たす。
【００６７】
＜実施形態２：処理の流れ＞
【００６８】
図８は、実施形態２での処理の流れの一例を示したものである。本実施形態における情報削除方法は、以下に示すステップよりなる。
【００６９】
まず、携帯端末装置から情報を取得する（情報取得ステップ  Ｓ０８０１）。
【００７０】
情報取得ステップ（Ｓ０８０１）にて取得した情報と、すでに保持されている情報と、を含む情報である合成情報を生成する（合成情報生成ステップ  Ｓ０８０２）。
【００７１】
合成情報生成ステップ（Ｓ０８０２）にて生成される情報が過去に他の情報と合成された回数である合成回数を含む合成情報履歴情報を取得する（合成情報履歴情報取得ステップ  Ｓ０８０３）。
【００７２】
前記合成情報履歴情報取得ステップ（Ｓ０８０３）にて取得した合成情報履歴情報に基づいて保持された情報を削除する（情報削除ステップ  Ｓ０８０４）。
【００７３】
＜実施形態２：効果＞
【００７４】
本実施形態の情報流布装置は、合成情報の履歴に関する情報に基づいて、不用な情報を削除でき、自身に保持する情報の容量を減らし、負荷の軽減を図ることができる。また、より有益な情報のみが転々流通することとなり、情報の流布の効果がより高まる。
＜＜実施形態３＞＞
【００７５】
＜実施形態３：概要＞
【００７６】
実施形態３について説明する。本実施形態は、情報の送信後に、その送信を行った携帯端末から情報の取得をすることを特徴とする情報流布装置である。
【００７７】
＜実施形態３：構成＞
【００７８】
本実施形態での機能ブロックの一例はすでに図２に示したとおりである。図２に示す本実施形態の「情報流布装置」（０２００）は、「情報保持部」（０２０１）と、「情報取得部」（０２０２）と、「合成情報生成部」（０２０３）と、「情報送信部」（０２０４）とからなる。
【００７９】
「情報取得部」（０２０２）は、前記情報送信部（０２０４）による情報の送信が行われた場合に、その情報の送信を行った携帯端末装置から情報の取得をする。つまり、情報流布装置から情報を送信するのと引き換えに、携帯端末装置から情報の取得を行う。情報流布装置と、携帯端末装置間で情報の交換・共有を確実に行うことができる。
【００８０】
その他各部の処理は、実施形態１と同様である。
【００８１】
＜実施形態３：処理の流れ＞
【００８２】
図９は、実施形態３での処理の流れの一例を示したものである。本実施形態における情報流布方法は、以下に示すステップよりなる。
【００８３】
まず、携帯端末装置に対して、保持された情報を送信する（情報送信ステップ
Ｓ０９０１）。
【００８４】
前記情報送信ステップ（Ｓ０９０１）による情報の送信が行われた場合に、その情報の送信を行った携帯端末装置から情報の取得をする（情報取得ステップ  Ｓ０９０２）。
【００８５】
情報取得ステップ（Ｓ０９０２）にて取得した情報と、すでに保持されている情報と、を含む情報である合成情報を生成する（合成情報生成ステップ  Ｓ０９０３）。
【００８６】
＜実施形態３：効果＞
【００８７】
本件の情報流布装置は、情報の送信と引き換えに、取得を行うことで、情報流布装置と、携帯端末装置間での情報の交換・共有を確実に行うことができる。
＜＜実施形態４＞＞
【００８８】
＜実施形態４：概要＞
【００８９】
実施形態４について説明する。本実施形態は、情報の取得後に、その取得を行った携帯端末に対して情報の送信をすることを特徴とする情報流布装置である。
実施形態３の情報流布装置とは、取得と送信の順序が異なる。
【００９０】
＜実施形態４：構成＞
【００９１】
本実施形態での機能ブロックの一例はすでに図２に示したとおりである。図２に示す本実施形態の「情報流布装置」（０２００）は、「情報保持部」（０２０１）と、「情報取得部」（０２０２）と、「合成情報生成部」（０２０３）と、「情報送信部」（０２０４）とからなる。
【００９２】
「情報送信部」（０２０４）は、前記情報取得部（０２０２）による情報の取得が行われた場合に、その情報の取得を行った携帯端末装置に対して情報の送信をする。つまり、情報流布装置は情報を取得するのと引き換えに、携帯端末装置へ送信を行う。実施形態３の情報流布装置とは、取得と送信の順序が異なる。情報流布装置と、携帯端末装置間で情報の交換・共有を確実に行うことができる。
【００９３】
その他各部の処理は、実施形態１と同様である。
【００９４】
＜実施形態４：処理の流れ＞
【００９５】
図１０は、実施形態４での処理の流れの一例を示したものである。本実施形態における情報流布方法は、以下に示すステップよりなる。
【００９６】
まず、最初に携帯端末装置から情報を取得する（情報取得ステップ  Ｓ１００１）。
【００９７】
次に、情報取得ステップ（Ｓ１００１）にて取得した情報と、すでに保持されている情報と、を含む情報である合成情報を生成する（合成情報生成ステップ  Ｓ１００２）。
【００９８】
前記情報取得ステップ（Ｓ１００１）による情報の取得が行われた場合に、その情報の取得を行った携帯端末装置に対して情報の送信をする（情報送信ステップ  Ｓ１００３）。
【００９９】
＜実施形態４：効果＞
【０１００】
本件の情報流布装置は、情報の取得と引き換えに、送信を行うことで、情報流布装置と、携帯端末装置間での情報の交換・共有を確実に行うことができる。
＜＜実施形態５＞＞
【０１０１】
＜実施形態５：概要＞
【０１０２】
実施形態５について説明する。本実施形態は、携帯端末装置からの要求に応じて保持されている情報を選択して送信することを特徴とする情報流布装置である。
【０１０３】
＜実施形態５：構成＞
【０１０４】
本実施形態での機能ブロックの一例を図１１に示す。
【０１０５】
図１１に示す本実施形態の「情報流布装置」（１１００）は、「情報保持部」（１１０１）と、「情報取得部」（１１０２）と、「合成情報生成部」（１１０３）と、「情報送信部」（１１０４）と、さらに、「送信情報選択手段」（１１０５）を有する。
【０１０６】
「情報送信部」（１１０４）は、「送信情報選択手段」（１１０５）によって選択した情報を送信する。
【０１０７】
「送信情報選択手段」（１１０５）は、携帯端末装置からの要求に応じて情報保持部（１１０１）に保持されている情報を選択する。「選択」には、複数の情報から条件に合うもの（例えば、情報Ａ、ＢのうちＡ）を選ぶことをいう。携帯端末装置からの要求とは、内容に関する要求（例えば、地図情報の送信要求）、時期的制限（例えば、最近２日以内に新たに取得した情報に制限して送信要求）、範囲に関する要求（例えば、利用者が保持していない範囲の情報の送信要求）等が該当する。また、携帯端末装置からの要求として、利用者の属性や、スケジュールに関する情報から必要な情報の要求を行う場合もある。これについては、後述する実施形態６、７にて説明する。
【０１０８】
ここでの携帯端末装置からの要求は、情報取得部（１１０２）にて情報の取得と共に行われるとしてもよいし、要求を取得するための処理を行う要求取得部を構成要素として有する場合もある。
【０１０９】
その他各部の処理については、実施形態１から４と同様である。
【０１１０】
＜実施形態５：効果＞
【０１１１】
本実施形態における情報流布装置では、携帯端末装置からの要求に応じて保持されている情報を選択して送信することができる。これにより、携帯端末装置の利用者は、自身に必要な情報のみを要求し、取得することができる。つまり、必要とする情報を即取得して、活用することができることから、情報流布装置の利用頻度の向上が高まることが期待できる。また、情報流布装置が、多数の利用者に利用されれば、取得・流布できる情報も増加するという効果をもたらす。
＜＜実施形態６＞＞
【０１１２】
＜実施形態６：概要＞
【０１１３】
実施形態６について説明する。本実施形態は、携帯端末装置から取得した利用者に関する情報に基づいて保持されている情報を選択して送信することを特徴とする情報流布装置である。
【０１１４】
＜実施形態６：構成＞
【０１１５】
本実施形態での機能ブロックの一例を図１２に示す。
【０１１６】
図１２に示す本実施形態の「情報流布装置」（１２００）は、「情報保持部」（１２０１）と、「情報取得部」（１２０２）と、「合成情報生成部」（１２０３）と、「情報送信部」（１２０４）と、さらに、「最適情報抽出手段」（１２０５）を有する。
【０１１７】
「情報送信部」（１２０４）は、「最適情報抽出手段」（１２０５）によって抽出した情報を送信する。
【０１１８】
「最適情報抽出手段」（１２０５）は、携帯端末装置から取得した利用者情報に基づいて情報保持部に保持されている情報を抽出する。「利用者情報」とは、携帯端末装置の利用者に関する情報である。例えば、利用者の性別、年齢等の個人データや、趣味等の嗜好の傾向などが該当する。利用者情報を数値化等すれば、情報保持部に保持された情報と、利用者の嗜好の傾向等に合致する情報の抽出が容易になる場合もある。
【０１１９】
また、「抽出」には、２種以上の情報から選択を行う場合の他、情報Ａを構成する情報（例えば、情報ａ１・・・ａｎ）から一部の情報のみ（例えば、情報ａ１）を抜き出す場合が含まれるとしてもよい。具体的には、前者は、観光情報と、広告情報との２種類の情報から、観光情報のみを選択する場合であり、後者は、観光情報に含まれる店舗紹介の情報と地図情報とから、店舗紹介の情報を抜き出す場合が想定される。
【０１２０】
さらに、図１３に示すように、情報流布装置は、情報Ａを構成する一部の情報であるａ２と、情報Ｂとを合成して合成情報を生成し、携帯端末装置に送信する場合もある。
【０１２１】
その他各部の処理については、実施形態１から５と同様である。
【０１２２】
＜実施形態６：効果＞
【０１２３】
本実施形態における情報流布装置では、利用者情報に基づいて、保持されている情報を抽出して送信することができる。これにより、携帯端末装置の利用者は、自らが要求の処理を行うことなく、自身の必要とする情報を取得することができる。利用者の利便性が増すという効果が期待できる。
＜＜実施形態７＞＞
【０１２４】
＜実施形態７：概要＞
【０１２５】
実施形態７について説明する。本実施形態は、携帯端末装置から取得した利用者のスケジュールに関する情報に基づいて利用者の立ち回り先の地理的情報を抽出することを特徴とする情報流布装置である。
【０１２６】
＜実施形態７：構成＞
【０１２７】
本実施形態での機能ブロックの一例はすでに図１２に示したとおりである。図１２に示す本実施形態の「情報流布装置」（１２００）は、「情報保持部」（１２０１）と、「情報取得部」（１２０２）と、「合成情報生成部」（１２０３）と、「情報送信部」（１２０４）と、さらに、「最適情報抽出手段」（１２０５）を有する。
【０１２８】
「情報送信部」（１２０４）は、「最適情報抽出手段」（１２０５）によって抽出した情報を送信する。
【０１２９】
「最適情報抽出手段」（１２０５）は、携帯端末装置から取得した利用者情報に基づいて情報保持部に保持されている情報を抽出する。利用者情報は、携帯端末装置に含まれている利用者のスケジュール情報であり、このスケジュール情報に基づいて、利用者の立ち回り先の地理的情報を抽出する。例えば、スケジュール情報が「新宿にて３時に待ち合わせ」である場合、利用者の立ち回り先の地理的情報として、新宿の地図情報、路線図情報、天気情報等を抽出する。これにより、利用者は自己の必要とする情報を取得することができ、便利である（図１４参照）。
【０１３０】
その他各部の処理については、実施形態６と同様である。
【０１３１】
＜実施形態７：効果＞
【０１３２】
本実施形態における情報流布装置では、スケジュール情報に基づいて、利用者の立ち回り先の地理的情報を抽出して送信することができる。これにより、携帯端末装置の利用者は、最も必要とする情報を、自身の行動に先駆けて取得することができるため、さらに利便性が増す。
＜＜実施形態８＞＞
【０１３３】
＜実施形態８：概要＞
【０１３４】
実施形態８について説明する。本実施形態は、合成情報履歴情報に基づいて、広告情報を出力することを特徴とする情報流布装置である。
【０１３５】
＜実施形態８：構成＞
【０１３６】
本実施形態での機能ブロックの一例を図１５に示す。
【０１３７】
図１５に示す本実施形態の「情報流布装置」（１５００）は、「情報保持部」（１５０１）と、「情報取得部」（１５０２）と、「合成情報生成部」（１５０３）と、「情報送信部」（１５０４）と、「合成情報履歴情報取得部」（１５０５）と、「情報削除部」（１５０６）と、さらに、「広告情報出力部」（１５０７）とからなる。
【０１３８】
「広告情報出力部」（１５０７）は、前記合成情報履歴情報取得部（１５０５）で取得した合成情報履歴情報に基づいて、広告情報を出力する。「広告情報」は、情報流布装置から流布される情報に含まれる情報であり、商品等の広告を含む。出力は、映像・音声の再生、送信などの態様が該当する。
【０１３９】
広告情報は、単独で、あるいは、他の情報と合成されて出力される。図１６では、情報Ａ、Ｂと広告情報Ｃを保持する情報流布装置が、携帯端末装置へ情報を送信することで、広告情報を出力する場面を示した。このとき、出力される情報は、広告情報Ｃのみ、他の情報と合成されたＡＣ、ＢＣのいずれかである。このように、出力される情報に必ず広告情報を含むことで、宣伝・広告の機会を最大限に活用することを目的とする。また、合成情報履歴情報に基づいて有益な情報と判断できる情報と、広告情報とを合成することにより、広告情報がその有益な情報とともに流布され、広告効果が高まることが期待できる。
【０１４０】
その他各部の処理については、実施形態２と同様である。
【０１４１】
＜実施形態８：効果＞
【０１４２】
本実施形態における情報流布装置では、広告情報の出力を行う。広告情報の供給者は本情報流布装置によって広く利用者に広告の提供を行うことができる。また、このとき合成情報履歴情報に基づいて有益な情報と判断できる情報とともに広告情報を流布すれば、宣伝・広告効果がさらに高まることが期待できる。
＜＜実施形態９＞＞
【０１４３】
＜実施形態９：概要＞
【０１４４】
実施形態９について説明する。本実施形態は、広告情報を街頭ディスプレイで出力することを特徴とする情報流布装置である。
【０１４５】
＜実施形態９：構成＞
【０１４６】
本実施形態での機能ブロックの一例はすでに図１５に示したとおりである。図１５に示す本実施形態の「情報流布装置」（１５００）は、「情報保持部」（１５０１）と、「情報取得部」（１５０２）と、「合成情報生成部」（１５０３）と、「情報送信部」（１５０４）と、「合成情報履歴情報取得部」（１５０５）と、「情報削除部」（１５０６）と、さらに、「広告情報出力部」（１５０７）とからなる。
【０１４７】
「広告情報出力部」（１５０７）は、街頭ディスプレイで、広告情報の出力を行う。街頭ディスプレイは、戸外に設置される大型スクリーン等が該当する。街頭ディスプレイにより広告情報を出力することにより、広告をより多くの人に視聴させることが可能になり、宣伝・広告効果が高まるといえる。
【０１４８】
また、合成情報履歴情報取得部（１５０５）で取得される合成情報履歴情報や、これに含まれる合成回数に応じて、街頭ディスプレイに広告情報を出力するかどうかを判定し、所定の目標値に達した場合にのみ出力するとしてもよい。これによれば、街頭ディスプレイに出力された広告情報は、合成回数が所定回数以上であるなど、多くの利用者に支持されている広告であることが分かる。利用者、広告の供給者、双方にとって効果的な広告・宣伝活動であるといえる。
【０１４９】
その他各部の処理については、実施形態８と同様である。
【０１５０】
＜実施形態９：効果＞
【０１５１】
本実施形態における情報流布装置では、街頭ディスプレイにて広告情報の出力を行う。広告情報の供給者は広く利用者に広告の提供をし、街頭ディスプレイにて多くの人に視聴させることが可能になるため、宣伝・広告効果が高まる点で有効である。
＜＜実施形態１０＞＞
【０１５２】
＜実施形態１０：概要＞
【０１５３】
実施形態１０について説明する。本実施形態は、広告対価を計算することを特徴とする情報流布装置である。
【０１５４】
＜実施形態１０：構成＞
【０１５５】
本実施形態での機能ブロックの一例を図１７に示す。
【０１５６】
図１７に示す本実施形態の「情報流布装置」（１７００）は、「情報保持部」（１７０１）と、「情報取得部」（１７０２）と、「合成情報生成部」（１７０３）と、「情報送信部」（１７０４）と、「合成情報履歴情報取得部」（１７０５）と、「情報削除部」（１７０６）と、「広告情報出力部」（１７０７）と、さらに、「対価計算部」（１７０８）からなる。
【０１５７】
「対価計算部」（１７０８）は、前記合成情報履歴情報取得部（１７０５）で取得した合成情報履歴情報に基づいて、その広告主に対する広告対価を計算する。広告対価は、広告情報の出力の代償として広告主が、情報流布装置の所有者等に支払うための対価である。合成回数、送信回数、合成・送信を行った日時等に応じて適当な対価の計算を行うことができる。
【０１５８】
その他各部の処理については、実施形態９と同様である。
【０１５９】
＜実施形態１０：効果＞
【０１６０】
本実施形態における情報流布装置では、出力する広告情報の広告主に対する広告対価を計算する。対価の計算を行うことによって、情報流布装置を用いた広告情報の供給がスムーズに行われるという効果が期待できる。
＜＜実施形態１１＞＞
【０１６１】
＜実施形態１１：概要＞
【０１６２】
実施形態１１について説明する。本実施形態は、携帯端末装置から、情報流布装置自身が送信した情報を加工した加工済情報を取得することを特徴とする情報流布装置である。
【０１６３】
＜実施形態１１：構成＞
【０１６４】
本実施形態での機能ブロックの一例はすでに図２に示したとおりである。図２に示す本実施形態の「情報流布装置」（０２００）は、「情報保持部」（０２０１）と、「情報取得部」（０２０２）と、「合成情報生成部」（０２０３）と、「情報送信部」（０２０４）とからなる。
【０１６５】
「情報取得部」（０２０２）は、携帯端末装置から加工済情報を取得する。「加工済情報」とは、情報流布装置から得た情報を加工した情報である。「加工」は、付加、又は／及び、訂正を行うことをいう。図１８は、加工済情報を模式的に示した図である。図１８（１）は、情報流布装置から送信されてきた情報Ａを携帯端末装置が取得し、情報Ｂを付加して情報流布装置へ返す態様である。また、図１８（２）は、情報流布装置から送信されてきた情報Ａを携帯端末装置が取得し、情報Ａ´に訂正して返す態様である。いずれも元の情報Ａは、そのまま情報流布装置に保持しておいてもよい。
【０１６６】
上記の具体例としては、情報流布装置から利用者が自身の携帯端末装置を介して得た情報に、利用者自身の所感や、メッセージなどを付加したものである。例えば、情報流布装置から周辺のグルメ情報を取得した利用者が勧められたレストランにて食事をした場合、そのレストランの食事についての評価や、雰囲気、おすすめのメニューなどを付加し、情報流布装置に返す場合などが該当する。利用者による口コミの情報は、他者にとって利用価値の高い情報であるといえる。
【０１６７】
＜実施形態１１：効果＞
【０１６８】
本実施形態における情報流布装置では、利用者によって加工された加工済情報を取得する。利用者による口コミの情報が付加された加工済情報は、他者にとって利用価値の高い情報であることが想定できるので、利用者の利便性が高まる。
【０１６９】
また、加工済情報を取得するために、情報流布装置の利用者が増えれば、さらに加工済情報の内容も充実し、利用価値が高まるという好循環が期待できる。
＜＜実施形態１２＞＞
【０１７０】
＜実施形態１２：概要＞
【０１７１】
実施形態１２について説明する。本実施形態は、情報流布装置から情報を取得する携帯端末装置である。
【０１７２】
＜実施形態１２：構成＞
【０１７３】
本実施形態での機能ブロックの一例を図１９に示す。
【０１７４】
図１９に示す「携帯端末装置」（１９００）は、「情報取得部」（１９０１）と、「情報保持部」（１９０２）と、「情報送信部」（１９０３）とからなる。
【０１７５】
「情報取得部」（１９０１）は、情報流布装置から情報を取得する。取得した情報は、表示等して活用できる。例えば、取得した情報が地図情報であれば、携帯端末装置に表示させた情報を見ながら目的地に到着することができる。また、広告情報であれば、その情報を広告主の店舗等で提示することでサービスが受けられるとしてもよい。
【０１７６】
「情報保持部」（１９０２）は、前記情報取得部（１９０１）で取得した情報を保持する。
【０１７７】
「情報送信部」（１９０３）は、情報流布装置に対して、前記情報保持部（１９０２）に保持された情報を送信する。情報の送信を行うのは、携帯端末装置と、情報流布装置とで、情報の共有を行うためである。
【０１７８】
携帯端末装置は、実施形態１に記載の情報流布装置と、ともに情報流布システムを構成する場合もある。情報流布装置は、携帯端末装置から情報を収集し、他の携帯端末装置へ情報を送信することで、情報を流布するという目的を果たす。
【０１７９】
＜実施形態１２：効果＞
【０１８０】
本実施形態における携帯端末装置は情報流布装置からの情報を取得する。これにより、利用者は取得した情報を自身の携帯端末装置にて、いつでも活用することができ、便利である。
【０１８１】
また、携帯端末装置と、情報流布装置とで、情報流布システムを構成する場合には、情報流布装置が、携帯端末装置から情報を収集し、他の携帯端末装置へ情報を送信することで、広く情報が流布するという効果を有する。
＜＜実施形態１３＞＞
【０１８２】
＜実施形態１３：概要＞
【０１８３】
実施形態１３について説明する。本実施形態は、情報流布装置に情報の送信を要求することに特徴を有する携帯端末装置である。
【０１８４】
＜実施形態１３：構成＞
【０１８５】
本実施形態での機能ブロックの一例を図２０に示す。
【０１８６】
図２０に示す「携帯端末装置」（２０００）は、「情報取得部」（２００１）と、「情報保持部」（２００２）と、「情報送信部」（２００３）と、さらに、「情報要求部」（２００４）からなる。
【０１８７】
「情報要求部」（２００４）は、情報流布装置に対して情報の送信を要求する。要求は、ボタン押下等の処理に基づいて行われることが想定される。要求の処理としては、不特定の情報について取得の要求を行うとしてもよいし、ある特定の内容の情報を指定して取得の要求を行うとしてもよい。
【０１８８】
「情報取得部」（２００１）は、前記要求に基づいて、情報流布装置から情報を取得する。
【０１８９】
その他各部の処理については、実施形態１２と同様である。
【０１９０】
携帯端末装置は、実施形態５に記載の情報流布装置と、ともに情報流布システムを構成する場合もある。情報流布装置は、携帯端末装置からの要求に応じて情報を選択し、携帯端末装置へ送信することで、情報を流布するという目的を果たす。この場合、流布されるのは活用度の高い情報に限られ、システムの負荷も減らすことができる。
【０１９１】
＜実施形態１３：効果＞
【０１９２】
本実施形態における携帯端末装置は情報流布装置に対して情報の送信の要求を行い、その要求に応じた情報を取得する。これにより、利用者は必要とする情報を取得し活用することができ、便利である。
【０１９３】
また、携帯端末装置と、情報流布装置とで、情報流布システムを構成する場合には、利用者の必要とする情報をやり取りすることで、システムの負荷を減らしつつ、利用価値の高い情報が広く流布するという効果を有する。
＜＜実施形態１４＞＞
【０１９４】
＜実施形態１４：概要＞
【０１９５】
実施形態１４について説明する。本実施形態は、利用者に関する情報を出力し、その利用者情報に応じた情報を取得することに特徴を有する携帯端末装置である。
【０１９６】
＜実施形態１４：構成＞
【０１９７】
本実施形態での機能ブロックの一例を図２１に示す。
【０１９８】
図２１に示す「携帯端末装置」（２１００）は、「情報取得部」（２１０１）と、「情報保持部」（２１０２）と、「情報送信部」（２１０３）と、さらに、「利用者情報保持部」（２１０４）と、「利用者情報出力部」（２１０５）からなる。
【０１９９】
「利用者情報保持部」（２１０４）は、利用者に関する情報である利用者情報を保持する。利用者情報は、すでに述べたように、利用者の性別、年齢等の個人データや、趣味等の嗜好の傾向などが該当する。これらの情報は、利用者自身による入力や、これまでの利用の履歴等により取得するとしてもよい。
【０２００】
「利用者情報出力部」（２１０５）は、前記利用者情報保持部（２１０４）に保持されている利用者情報を出力する。利用者情報の出力が行われるのは、利用者に適した情報の取得が可能となるためである。
【０２０１】
その他各部の処理については、実施形態１２と同様である。
【０２０２】
携帯端末装置は、実施形態６に記載の情報流布装置と、ともに情報流布システムを構成する場合もある。情報流布装置は、携帯端末装置からの利用者情報に基づいて情報を選択し、携帯端末装置へ情報を送信することで、情報を流布するという目的を果たす。
【０２０３】
＜実施形態１４：効果＞
【０２０４】
本実施形態における携帯端末装置は情報流布装置に対して利用者情報を出力し、その利用者情報に基づいた情報を取得する。これにより、利用者は自身に適した情報を取得し活用することができ、便利である。
【０２０５】
また、携帯端末装置と、情報流布装置とで、情報流布システムを構成する場合には、利用者に適した情報をやり取りすることで、利用価値の高い情報が広く流布するという効果を有する。
＜＜実施形態１５＞＞
【０２０６】
＜実施形態１５：概要＞
【０２０７】
実施形態１５について説明する。本実施形態は、利用者が情報を加工できることに特徴を有する携帯端末装置である。
【０２０８】
＜実施形態１５：構成＞
【０２０９】
本実施形態での機能ブロックの一例を図２２に示す。
【０２１０】
図２２に示す「携帯端末装置」（２２００）は、「情報取得部」（２２０１）と、「情報保持部」（２２０２）と、「情報送信部」（２２０３）と、さらに、「情報加工部」（２２０４）からなる。
【０２１１】
「情報加工部」（２２０４）は、前記情報取得部（２２０１）で取得した情報を加工して加工済情報とする。これにより、情報流布装置から利用者が得た情報に、利用者自身の所感や、メッセージなどを付加することができる。利用者による口コミの情報は、他者にとって利用価値の高い情報であるといえる。加工済情報は、情報送信部（２２０３）から送信される。
【０２１２】
その他各部の処理については、実施形態１２と同様である。
【０２１３】
携帯端末装置は、実施形態１１に記載の情報流布装置と、ともに情報流布システムを構成する場合もある。携帯端末装置を介して、情報流布装置からの情報を利用者が加工できることによって、利用者が口コミの情報を発信することができる。
【０２１４】
＜実施形態１５：効果＞
【０２１５】
本実施形態における携帯端末装置では、利用者が情報を加工し、自身の意見として発信することができる。
【０２１６】
また、携帯端末装置と、情報流布装置とで、情報流布システムを構成する場合には、利用者による口コミの情報が付加された加工済情報は、他者にとって利用価値の高い情報であることが想定できるので、利用者の利便性が高まる。また、利用価値の高い情報が広く流布するという効果を有する。
【発明の効果】
本発明では、情報流布装置により流布される情報の中から、必要な情報を利用者が自己の携帯端末装置等に取得し、活用することができる。さらに、逆に情報流布装置へ自己の有する情報も送信することができ、情報を多数の利用者で共有することができる。
【０２１７】
また情報は、利用者による要求や、利用者に関する情報等に基づいて取得することができる。利用者に必要な情報、あるいは、利用者に適する情報が携帯端末装置に送られることで、利用者の利便性が増すという効果がある。
【０２１８】
さらに、携帯端末装置を用いて、利用者が自身の口コミの情報を付加した加工済情報を情報流布装置に出力する場合は、他者にとって利用価値の高い情報が広く流布するという効果を有する。
【図面の簡単な説明】
【図１】実施形態１を説明するための概念図
【図２】実施形態１を説明するための機能ブロック図
【図３】実施形態１における合成情報の態様を説明するための図
【図４】実施形態１の処理の流れを説明する図
【図５】実施形態２を説明するための機能ブロック図
【図６】実施形態２における削除処理を具体的に説明するための図
【図７】実施形態２において送信済みの情報の削除処理を説明するための図
【図８】実施形態２の処理の流れを説明する図
【図９】実施形態３の処理の流れを説明する図
【図１０】実施形態４の処理の流れを説明する図
【図１１】実施形態５を説明するための機能ブロック図
【図１２】実施形態６を説明するための機能ブロック図
【図１３】実施形態６において抽出した情報の合成処理を説明するための図
【図１４】実施形態７においてスケジュール情報に基づいて抽出する地理的情報の具体例を示した図
【図１５】実施形態８を説明するための機能ブロック図
【図１６】実施形態８において広告情報を含む情報の出力処理を説明するための図
【図１７】実施形態１０を説明するための機能ブロック図
【図１８】実施形態１１における加工済情報を模式的に示した図
【図１９】実施形態１２を説明するための機能ブロック図
【図２０】実施形態１３を説明するための機能ブロック図
【図２１】実施形態１４を説明するための機能ブロック図
【図２２】実施形態１５を説明するための機能ブロック図
【符号の説明】
０２００    情報流布装置
０２０１    情報保持部
０２０２    情報取得部
０２０３    合成情報生成部
０２０４    情報送信部
【図１】
2004199436.tif 000003
【図２】
2004199436.tif 000004
【図３】
2004199436.tif 000005
【図４】
2004199436.tif 000006
【図５】
2004199436.tif 000007
【図６】
2004199436.tif 000008
【図７】
2004199436.tif 000009
【図８】
2004199436.tif 000010
【図９】
2004199436.tif 000011
【図１０】
2004199436.tif 000012
【図１１】
2004199436.tif 000013
【図１２】
2004199436.tif 000014
【図１３】
2004199436.tif 000015
【図１４】
2004199436.tif 000016
【図１５】
2004199436.tif 000017
【図１６】
2004199436.tif 000018
【図１７】
2004199436.tif 000019
【図１８】
2004199436.tif 000020
【図１９】
2004199436.tif 000021
【図２０】
2004199436.tif 000022
【図２１】
2004199436.tif 000023
【図２２】
2004199436.tif 000024